(57)【要約】【目的】鉄蓋を閉じた状態で、鉄蓋を受け枠部に対して確実に錠止（ロック）した状態で装着し、鉄蓋の外れを確実に防止する。工具が無い場合でも鉄蓋を容易に開くことを可能にする。【構成】受け枠部２の内部に形成された係止部１２に対して係止及び離脱方向に揺動可能に鉄蓋４の裏面に軸支されたロック部材８と、鉄蓋の上面側から操作可能にかつ鉄蓋の貫通孔２０を通してロック部材に係合可能に挿入された把手部材１５と、を備え、把手部材１５を持ち上げる動作に連動してロック部材８を受け枠部２の係止部１２から離脱させることで鉄蓋４を開放可能にする。【選択図】                                図２
2004332415.tif 000002
【特許請求の範囲】
【請求項１】
地下に埋設される筐体の上部に設けた受け枠部に鉄蓋を開閉可能に装着するための鉄蓋開閉構造において、
前記受け枠部の内部に形成された係止部に対して係止及び離脱方向に揺動可能に前記鉄蓋の裏面に軸支されたロック部材と、前記鉄蓋の上面側から操作可能にかつ該鉄蓋の貫通孔を通して前記ロック部材に係合可能に挿入された把手部材と、を備え、前記把手部材を持ち上げる動作に連動して前記ロック部材を前記受け枠部の係止部から離脱させることで、前記鉄蓋を開放可能にすることを特徴とする鉄蓋開閉構造。
【請求項２】
前記鉄蓋の前記ロック部材とは反対側の位置に、鉄蓋装着時に前記受け枠部に係止する飛散防止用の突起が形成されていることを特徴とする請求項１に記載の鉄蓋開閉構造。
【請求項３】
前記ロック部材は、前記鉄蓋に形成された開口部を通して該鉄蓋の上面側から工具等により押圧することによりロック解除できることを特徴とする請求項１又は２に記載の鉄蓋開閉構造。
【請求項４】
前記ロック部材は、前記鉄蓋の裏面に装着された戻しばねによって前記受け枠部の係止部に係止する方向に弾性付勢されていることを特徴とする請求項１〜３のいずれかに記載の鉄蓋開閉構造。
【請求項５】
前記受け枠部の係止部は、前記鉄蓋を支持するための鉄蓋支持部を利用して形成されていることを特徴とする請求項１〜４のいずれかに記載の鉄蓋開閉構造。
【発明の詳細な説明】
【０００１】
【発明の属する技術分野】
本発明は、地下に埋設される鉄筐やマンホールなどの構造物（筐体）の上部に設けた受け枠部に鉄蓋をロック状態でかつ開閉可能に装着するための鉄蓋開閉構造に関する。
【０００２】
【従来の技術】
地下には水道、ガス、電気等を供給するための布設管が埋設されており、これらの布設管には制水弁などの制御弁やコネクターやブレーカー等の埋設機器が接続されており、これらの埋設機器を路面上から操作したり、維持点検したり、さらにはこれらを保護するとともに設置場所を明示するために、中空筐体やマンホールから成る埋設構造物（埋設筐）が設置されている。
【０００３】
埋設筐（埋設構造物）の上端開口部には鉄蓋を開閉可能に嵌合支持するための受け枠部が設けられている。この受け枠部は、埋設筐本体と一体に設けられる場合や、別の部材で形成される場合がある。前記鉄蓋は、その上面が路面と略同一面となるようにして前記受け枠部の開口部に嵌合状態（閉じ状態）で支持される。この鉄蓋は、前記受け枠部に対して、兆番やチェーン等を介して開閉可能に取り付けられている。
【０００４】
【発明が解決しようとする課題】
路面上に設置される鉄蓋としては、使用目的等に応じて種々の構造や大きさのものが使用されているが、どのような鉄蓋においても、次のような条件を考慮して施工することが必要である。すなわち、交通量が多く、また重量車も頻繁に通行する場所で長年月にわたって使用されると、鉄蓋の摩耗もそれに応じて酷くなる傾向にあり、車両の車輪が当たる鉄蓋の表面だけでなく、受け枠部と鉄蓋との接触面（受け面や嵌合面）でも摩耗が生じることになる。このような接触面に摩耗が生じると、その間のガタツキによって鉄蓋の位置がずれたり、外れたりする可能性が高くなる。
【０００５】
その場合、危険防止の観点から、鉄蓋に少々のガタツキが発生したとしても、鉄蓋が外れることは確実に阻止する必要があり、従って、埋設筐においては、鉄蓋の外れを確実に防止できる鉄蓋開閉構造が強く要請されている。一方では、埋設筐内の保守点検等の作業性を確保するためには、鉄蓋の開閉作業が簡単かつ迅速に行い得ることも要請されている。
【０００６】
本発明はこのような技術的課題に鑑みてなされたものであり、本発明の目的は、鉄蓋を閉じた状態で鉄蓋を受け枠部に対して確実に錠止（ロック）することで鉄蓋の外れを確実に防止でき、かつ、工具が無くとも鉄蓋を容易に開くことができる鉄蓋開閉構造を提供することである。
【０００７】
【課題を解決するための手段】
本発明（請求項１に係る発明）は、上記目的を達成するため、地下に埋設される筐体の上部に設けた受け枠部に鉄蓋を開閉可能に装着するための鉄蓋開閉構造において、前記受け枠部の内部に形成された係止部に対して係止及び離脱方向に揺動可能に前記鉄蓋の裏面に軸支されたロック部材と、前記鉄蓋の上面側から操作可能にかつ該鉄蓋の貫通孔を通して前記ロック部材に係合可能に挿入された把手部材と、を備え、前記把手部材を持ち上げる動作に連動して前記ロック部材を前記受け枠部の係止部から離脱させることで、前記鉄蓋を開放可能にすることを特徴とする。
【０００８】
【発明の実施の形態】
以下、図面を参照して本発明の実施の形態を具体的に説明する。なお、各図面を通して同一符号は同一又は対応部分を示すものである。
図１は本発明を適用した鉄蓋開閉構造を有する埋設筐の鉄蓋を閉じた状態を示す平面図であり、図２は図１中の線２−２に沿って本発明を適用した鉄蓋開閉構造を示す縦断面図であり、図３は図２中のロック部材８の平面図であり、図４は図３のロック部材８の側面図であり、図５は図３のロック部材８の正面図である。
【０００９】
図６は図２中のシャフト１６の平面図であり、図７は図２中の戻しばね１３の正面図であり、図８は図２中の把手部材１５の正面図であり、図９は図２に示す鉄蓋開閉構造において把手部材１５を持ち上げてロック部材８を係止部１２から離脱させるとともに鉄蓋４を若干持ち上げた状態を示す部分縦断面図であり、図１０は図２に示す鉄蓋開閉構造において工具１８によってロック部材８を押し下げて係止部１２から離脱させるとともに鉄蓋４を若干持ち上げた状態を示す部分縦断面図である。
【００１０】
図１及び図２において、地下に埋設された筒状（中空状）の筐体（埋設筐本体）１の上端面には開口を有する環状（図示の例では四角の環状）の受け枠部２が設けられており、この受け枠部２の開口部３には同様の形状（四角形状）をした鉄蓋４が嵌合支持（閉じ状態で装着）されている。受け枠部２及び鉄蓋４は、通常、ダクタイル鋳鉄等の鋳造品で作られている。また、埋設筐本体１は鋳鉄の他、コンクリートや硬質プラスチックなどで作ることができる。
【００１１】
鉄蓋４は、その周縁部の一部（一辺）において、受け枠部２に対して、くさり又はチェーン、あるいはロッド等から成る連結部材５を介して開閉可能に連結されている。受け枠部２の内部には、開口部３の周縁部に沿って、鉄蓋４を支持（嵌合支持）するための鉄蓋支持部６が形成されており、鉄蓋４は鉄蓋支持部６の上面に装着されたゴム状弾性体（例えばウレタンゴム等から成る）の封止部材（パッキン）７上に支持されている。
【００１２】
鉄蓋４の裏面にはロック部材８が揺動可能に軸支されている。このロック部材８（図３、図４、図５）は、該ロック部材に設けられた左右のピン部（突出部）９、９を鉄蓋４に形成された左右のＬ字状の溝１０、１０に係合させることにより、図２に示すようなロック位置（係止位置）とロック解放位置（図９、図１０に示す離脱位置）との間で揺動可能に軸支されている。受け枠部２の鉄蓋支持部６のロック部材８と対応する位置には、鉄蓋４を閉じた状態で該ロック部材の先端フック部１１が係止することで鉄蓋４をロック状態にするための係止部１２が形成されている。
【００１３】
鉄蓋４の裏面には、ロック部材８を係止部１２に係止させる方向に（図２中で、外向きで反時計回り方向に）弾性付勢（ばね付勢）するための戻しばね１３が装着されている。図示の例では、前記戻しばね１３は、鉄蓋４の裏面に取り付けられたシャフト１４（図６）に装着されたねじりコイルばね（図７）で構成されている。また、鉄蓋４には、ロック部材８のロック解放の操作を行うとともに、鉄蓋を持ち上げるのに使用可能な把手部材１５（図８）が設けられている。この把手部材１５は、門形のロッド部材（Ｕ字ボルト等）で構成されており、その両側の垂直部（門柱部分）２１が鉄蓋４の２箇所に形成された貫通孔２０を通して鉄蓋４の裏面へ達しており、両側の垂直部はその先端に固定されたナットあるいは抜け止め輪等によりロック部材８と係合可能に装着（挿入）されている。
【００１４】
そのため、鉄蓋４の上側からこの把手部材１５を持ち上げることにより図９に示すようにロック部材８を反時計回りに回動させることで、フック部１１を係止部１２から離脱させて鉄蓋４を開放可能なロック解除状態にすることができる。また、把手部材１５を落下させるか、鉄蓋４内へ押し込むと、戻しばね１３のばね力によってロック部材８がピン部９を中心に時計回り方向に回動し、そのフック部１１が係止部１２に係止されることで鉄蓋４を閉じ位置にロック（錠止）することができる。
【００１５】
図１及び図２において、鉄蓋４の周縁部のロック部材８と対応する位置には開口部（切欠部、バール用開口）１６が形成されており、ロック部材８の上部先端部には図２に示すような鉄蓋閉じ状態で前記開口部１６を塞ぐような状態となる閉塞部１７が設けられている。そのため、開口部１６から工具１８を挿入して閉塞部１７を下方へ押圧操作することによりロック部材８を反時計回りに回動させてフック部１１を係止部１２から離脱させ、鉄蓋４をロック解除状態（開放可能な状態）にすることができる。つまり、適当な工具１８を開口部１６から挿入してロック部材８を押圧することによっても、把手部材１５による鉄蓋４のロック解除操作と同様の操作を行うことができる。
【００１６】
鉄蓋を閉じて埋設筐を使用状態にするときには、図９又は図１０のようにロック部材８をロック解除方向に回動させた状態で鉄蓋４を受け枠部２の開口部３に装着するだけでよく、ロック部材８は戻しばね１３のばね力によって係止部１２に自動的に係止され、鉄蓋４は自動的にロック状態にされる。
また、鉄蓋４のロック部材８とは反対側の位置には、鉄蓋装着時（埋設筐使用時）に受け枠部２の開口部３の下側縁部に係止することにより、鉄蓋４の外れを一層確実なものにするための飛散防止用の突起１９が形成されている。本実施例では、図１に示すように、突起１９はロック部材８と反対側の所定間隔をおいた２箇所に形成されている。
【００１７】
以上説明した実施例においては、地下に埋設される筐体１の上部に設けた受け枠部２に鉄蓋４を開閉可能に装着するための鉄蓋開閉構造において、受け枠部２の内部に形成された係止部１２に対して係止及び離脱方向に揺動可能に鉄蓋４の裏面に軸支（ピン部９）されたロック部材８と、鉄蓋４の上面側から操作可能にかつ該鉄蓋の貫通孔２０を通してロック部材８に係合可能に装着された把手部材１５と、を備え、把手部材１５を持ち上げる動作に連動してロック部材８を受け枠部２の係止部１２から離脱させることで、鉄蓋４を開放可能にするように構成されている。
【００１８】
また、以上説明した実施例においては、鉄蓋４のロック部材８とは反対側の位置に、鉄蓋装着時に受け枠部２の開口周縁の下側に係止するすることで鉄蓋４の外れを防止する飛散防止用の突起１９が形成されている。ロック部材８は、鉄蓋４に形成された開口部１６を通して該鉄蓋の上面側から工具１８等により押圧することによりロック解除できるように構成されている。ロック部材８は、鉄蓋４の裏面に装着された戻しばね１３によって受け枠部２の係止部１２に係止する方向に弾性付勢されている。受け枠部２の係止部１２は、鉄蓋４を支持するための鉄蓋支持部６を利用して形成されている。
【００１９】
以上説明した実施例によれば、埋設筐の使用状態（鉄蓋閉じ状態）においては鉄蓋４を受け枠部２に対して確実に錠止状態（ロック状態）で装着することができ、かつ鉄蓋４を開く場合には路面上から容易に作業を行うことができる鉄蓋開閉構造が提供される。また、バール等の工具が無い場合でも鉄蓋４の開閉作業を行うことができる鉄蓋開閉構造が提供される。
【００２０】
なお、以上の実施例では、四角形の埋設筐を例に挙げて説明したが、本発明は、円形や長円形や多角形など、埋設筐の形状に関係なく同様に適用可能なものであり、同様の作用効果を達成できるものである。また、本実施例では、埋設筐本体１と受け枠部２が別部材である場合を例に挙げて説明したが、本発明は、受け枠部を埋設筐本体と一体に形成する場合にも同様に適用することができ、同様の作用効果を達成できるものである。また、埋設筐本体としても、一体構造のものや、積み重ね構造のものや、ねじ等により高さ調節可能な分割構造（２分割構造、３分割構造など）のものなど、種々の構造のものを使用でき、本発明は埋設筐本体の構造の如何を問わず同様に実施でき、同様の作用効果を達成できるものである。
【００２１】
【発明の効果】
以上の説明から明らかなごとく、請求項１の発明によれば、地下に埋設される筐体の上部に設けた受け枠部に鉄蓋を開閉可能に装着するための鉄蓋開閉構造において、前記受け枠部の内部に形成された係止部に対して係止及び離脱方向に揺動可能に前記鉄蓋の裏面に軸支されたロック部材と、前記鉄蓋の上面側から操作可能にかつ該鉄蓋の貫通孔を通して前記ロック部材に係合可能に挿入された把手部材と、を備え、前記把手部材を持ち上げる動作に連動して前記ロック部材を前記受け枠部の係止部から離脱させることで、前記鉄蓋を開放可能にする構成としたので、
鉄蓋を閉じた状態で鉄蓋を受け枠部に対して確実に錠止（ロック）することで鉄蓋の外れを確実に防止でき、かつ、工具が無くとも鉄蓋を容易に開くことができる鉄蓋開閉構造が提供される。
【００２２】
請求項２の発明によれば、上記請求項１の構成に加えて、前記鉄蓋の前記ロック部材とは反対側の位置に、鉄蓋装着時に前記受け枠部に係止する飛散防止用の突起が形成されている構成としたので、一層有効に上記効果を達成できる鉄蓋開閉構造が提供される。
請求項３の発明によれば、上記請求項１又は２の構成に加えて、前記ロック部材は、前記鉄蓋に形成された開口部を通して該鉄蓋の上面側から工具等により押圧することによりロック解除できる構成としたので、一層有効に上記効果を達成できる鉄蓋開閉構造が提供される。
【００２３】
請求項４の発明は、上記請求項１〜３のいずれかの構成に加えて、前記ロック部材は、前記鉄蓋の裏面に装着された戻しばねによって前記受け枠部の係止部に係止する方向に弾性付勢されている構成としたので、一層有効に上記効果を達成できる鉄蓋開閉構造が提供される。
請求項５の発明によれば、上記請求項１〜４のいずれかの構成において、前記受け枠部の係止部は、前記鉄蓋を支持するための鉄蓋支持部を利用して形成されている構成としたので、一層効率よく上記効果を達成できる鉄蓋開閉構造が提供される。
【図面の簡単な説明】
【図１】本発明を適用した鉄蓋開閉構造を有する埋設筐の鉄蓋を閉じた状態を示す平面図である。
【図２】図１中の線２−２に沿って本発明を適用した鉄蓋開閉構造を示す縦断面図である。
【図３】図２中のロック部材の平面図である。
【図４】図３のロック部材の側面図である。
【図５】図３のロック部材の正面図である。
【図６】図２中のシャフトの平面図である。
【図７】図２中の戻しばねの正面図である。
【図８】図２中の把手部材の正面図である。
【図９】図２に示す鉄蓋開閉構造において把手部材を持ち上げてロック部材を係止部から離脱させるとともに鉄蓋を若干持ち上げた状態を示す部分縦断面図である。
【図１０】図２に示す鉄蓋開閉構造において工具によってロック部材を押し下げて係止部から離脱させるとともに鉄蓋を若干持ち上げた状態を示す部分縦断面図である。
【符号の説明】
１      筐体（埋設筐本体）
２      受け枠部
３      開口部（受け枠部）
４      鉄蓋
５      連結部材
６      鉄蓋支持部（受け枠部）
７      封止部材
８      ロック部材
９      ピン部
１０    Ｌ字状の溝
１１    フック部（ロック部材）
１２    係止部（受け枠部）
１３    戻しばね
１４    シャフト
１５    把手部材
１６    開口部（バール用開口、切欠部）
１７    閉塞部（ロック部材）
１８    工具
１９    飛散防止用の突起（鉄蓋）
２０    貫通孔（鉄蓋）
２１    垂直部（把手部材）
【図１】
2004332415.tif 000003
【図２】
2004332415.tif 000004
【図３】
2004332415.tif 000005
【図４】
2004332415.tif 000006
【図５】
2004332415.tif 000007
【図６】
2004332415.tif 000008
【図７】
2004332415.tif 000009
【図８】
2004332415.tif 000010
【図９】
2004332415.tif 000011
【図１０】
2004332415.tif 000012